(57)【要約】【課題】コストアップを招くことなく、補機用ブラケットに対してメスコネクタである第２コネクタを容易に着脱させることができ、しかも、各種の第２コネクタに対応できるようにした、コネクタを備えた補機用ブラケットの固定構造を提供すること。【解決手段】補機用ブラケット５がパネルに対し斜めの姿勢からパネルに対し平行な姿勢となるまでの間、第２コネクタ４を仮係止位置に係止する仮係止手段（係合フック４４と係合凹部５７）と、補機用ブラケット５がパネルに対し平行な姿勢となるまで回動したとき、第２コネクタ４を本係止位置に係止する本係止手段（係合突部４３ａと係合孔５５ａ）と、が設けられ、一方、第１コネクタ２に、補機用ブラケット５がパネルに対し平行な姿勢からパネルに対し斜めの姿勢となるように回動するとき、本係止手段による本係止の状態を解除して仮係止手段による仮係止の状態に移行させる本係止解除手段（仮係止・本係止解除部２３）が設けられている。【選択図】図８
2012148612.tif 000002
【特許請求の範囲】
【請求項１】
パネルの開口部に配置された第１コネクタと、
補機支持部を有すると共に、前記パネルの開口部を覆うように、該パネルの内側からパネルに固定される補機用ブラケットと、
前記補機用ブラケットに装着され、該補機用ブラケットを前記パネルに固定する際の動作に伴って前記第１コネクタに嵌合接続される第２コネクタと、を備え、
前記補機用ブラケットの一端側に、前記パネルの開口部の周縁に引っ掛けることができ、その引っ掛けた箇所を回動支点にして、前記補機用ブラケットをパネルに対し斜めの姿勢からパネルに対し平行な姿勢となるまで回動できるようにする外向きＬ形のフックが設けられると共に、
前記補機用ブラケットの他端側に、前記パネルに平行な姿勢となるまで前記補機用ブラケットを回動させた状態で、前記パネルに対して補機用ブラケットを本固定する本固定部が設けられており、
さらに、前記補機用ブラケットがパネルに対し斜めの姿勢からパネルに対し平行な姿勢となるまでの間、前記第２コネクタを仮係止位置に係止する仮係止手段と、前記補機用ブラケットがパネルに対し平行な姿勢となるまで回動したとき、前記第２コネクタを本係止位置に係止する本係止手段と、が設けられ、
一方、前記第１コネクタに、前記補機用ブラケットが前記パネルに対し平行な姿勢からパネルに対し斜めの姿勢となるように回動するとき、前記本係止手段による本係止の状態を解除して前記仮係止手段による仮係止の状態に移行させる本係止解除手段が設けられていることを特徴とするコネクタを備えた補機用ブラケットの固定構造。
【請求項２】
パネルの開口部に配置された第１コネクタと、
補機支持部を有すると共に、前記パネルの開口部を覆うように、該パネルの内側からパネルに固定される補機用ブラケットと、
前記補機用ブラケットに装着され、該補機用ブラケットを前記パネルに固定する際の動作に伴って前記第１コネクタに嵌合接続される第２コネクタと、を備え、
前記補機用ブラケットの一端側に、前記パネルの開口部の周縁に引っ掛けることができ、その引っ掛けた箇所を回動支点にして、前記補機用ブラケットをパネルに対し斜めの姿勢からパネルに対し平行な姿勢となるまで回動できるようにする外向きＬ形のフックが設けられると共に、
前記補機用ブラケットの他端側に、前記パネルに平行な姿勢となるまで前記補機用ブラケットを回動させた状態で、前記パネルに対して補機用ブラケットを本固定する本固定部が設けられており、
前記補機用ブラケットに対して各種の前記第２コネクタが着脱可能とされ、各種の前記第２コネクタは、前記補機用ブラケットに設けられたコネクタ着脱部に係脱可能な取付脚がそれぞれ設けられていることを特徴とするコネクタを備えた補機用ブラケットの固定構造。
【請求項３】
前記第２コネクタは、別体の前記取付脚に取り付けられていることを特徴とする請求項２に記載のコネクタを備えた補機用ブラケットの固定構造。
【発明の詳細な説明】
【技術分野】
【０００１】
本発明は、コネクタを備えた補機用ブラケットの固定構造に係り、例えば、バニティーミラー用のランプを備えたサンバイザ（補機）を車体パネル（天井部インナーパネル）に取り付けるに当たり、サンバイザを支持する補機用ブラケットを、コネクタを嵌合させながら、車体パネルに固定するための補機用ブラケットの固定構造に関するものである。
【背景技術】
【０００２】
自動車の運転席または助手席のフロントウインドウ上端近傍に配置されるサンバイザには、夜間でも使用できるようにバニティーミラー用のランプを備えたものがある。このようなランプを備えたサンバイザは、インナーパネルに形成された穴部によりコネクタ同士を結合させて取り付けられる。例えば、図１９に示す特許文献１に開示のブラケット結合構造では、雄コネクタ部５０１を有するパネル側ブラケット５０３と、雌コネクタ部５０５を有しかつサンバイザ５０７が支持されたバイザ側ブラケット５０９とをコネクタ５０１、５０５同士を嵌合すると共に、ブラケット５０３、５０９同士を組み付けてリーンフォース５１１にサンバイザ５０７を固定している。
【０００３】
バイザ側ブラケット５０９に、雌コネクタ部５０５の高さよりも高い係合突起５１３を突設し、パネル側ブラケット５０３に被係合部５１５を設け、雄コネクタ部５０１と雌コネクタ部５０５との嵌合に先駆けて、係合突起５１３が被係合部５１５に案内されて嵌合するようにしている。リーンフォース５１１には、パネル側ブラケット５０３の取付孔５１７、５１７に対応する位置に取付孔５１９、５１９が開設され、バイザ側ブラケット５０９は取付孔５２１、５２１が設けられている。取付孔５１９、５１７、５２１に挿通するスクリュウグロメットが形成された図示しないブラケットをサンバイザブラケットの下側から装着し、スクリュウグロメットが取付孔５２１、５２１を挿通した状態でビス５２３をスクリュウグロメットに螺着することで、サンバイザ５０７がリーンフォース５１１に固定される。バイザ側ブラケット５０９は、開口部５２５ａの形成される内装材であるトリム５２５を挟んで、パネル側ブラケット５０３とは反対側に配置されている。
【０００４】
このブラケット結合構造によれば、雄コネクタ部５０１と雌コネクタ部５０５との嵌合に先駆けて、係合突起５１３が被係合部５１５に案内されて嵌合することで、両ブラケット同士が適正に位置決め（調芯）されるため、雄コネクタ部５０１と雌コネクタ部５０５とが位置ずれを起こすことなく円滑かつ確実に嵌合するよう構成されている。
【先行技術文献】
【特許文献】
【０００５】
【特許文献１】特開２００２−１９２９４９号公報
【発明の概要】
【発明が解決しようとする課題】
【０００６】
しかし、保持のなされていないバイザ側ブラケット５０９を不図示のスクリュウグロメットを介して２本のビス５２３、５２３で固定することは、上向き作業であることも相俟って組付け作業が困難であった。また、係合突起５１３を被係合部５１５に案内させるための嵌合狙い作業が容易でなく、端子にどつきによる変形が生じれば信頼性が高まらない。
【０００７】
そこで、本出願人は、組付けが容易で、高い組付け信頼性が得られる補機用ブラケットの固定構造を先行発明として発明した。以下、その内容を説明する。
図２０は補機用ブラケット側の構成を示す斜視図、図２１〜図２３は、補機用ブラケットを車体側のパネル（インナーパネル）に取り付けるまでの手順を説明するための側断面図である。
【０００８】
この補機用ブラケットの固定構造は、図２１に示すように、パネル６０１の開口部に配置された第１コネクタ（メスコネクタ）６０２と、補機支持部を有すると共に、パネル６０１の開口部を覆うように、パネル６０１の内側からパネル６０１に固定される補機用ブラケット６０５と、この補機用ブラケット６０５に装着され、該補機用ブラケット６０５をパネル６０１に固定する際の動作に伴って第１コネクタ６０２に嵌合接続される第２コネクタ（オスコネクタ）６０４と、を備えて構成される。
【０００９】
第１コネクタ６０２には、実際にコネクタの役割をする第１コネクタ本体部６２１が設けられ、この第１コネクタ本体部６２１のハウジングの内部に第１端子（オス端子）が装着されている。第２コネクタ６０４には、実際にコネクタの役割をする第２コネクタ本体部６４１が設けられ、この第２コネクタ本体部６４１のハウジングの内部に第２端子（メス端子）が装着されている。第１コネクタ本体部６２１の接続用開口は下向きに配され、第２コネクタ本体部６４１の接続用開口は上向きに配されている。
【００１０】
また、パネル６０１の車室内側には、パネル６０１の開口部に対応した開口部を有するトリム６０３が設けられており、補機用ブラケット６０５は、このトリム６０３の車室内側に配される。
【００１１】
図２０および図２１に示すように、補機用ブラケット６０５の一端側には、パネル６０１の開口部の周縁に引っ掛けることができ、その引っ掛けた箇所を回動支点にして、補機用ブラケット６０５をパネル６０１に対して斜めの姿勢（図２１参照）からパネル６０１に対して平行な姿勢（図２２参照）となるまで、図２１中の矢印Ｆのように回動できるようにする外向きＬ形のフック６５２が設けられている。また、フック６５２と反対側の補機用ブラケット６０５の他端側には、フック６５２をパネル６０１の開口部の周縁に引っ掛けて、パネル６０１に平行な姿勢となるまで補機用ブラケット６０５を回動させた状態で、パネル６０１に対して補機用ブラケット６０５を本固定するための本固定部としての取付孔６５３ａ（図２０参照）が設けられている。取付孔６５３ａは凸部６５３に形成されている。図２３に示すように、この取付孔６５３ａにビス６０８を通して、パネル６０１側に設けたネジ孔部６０７にビス６０８を締め込むことにより、補機用ブラケット６０５をパネル６０１に本固定することができる。
【００１２】
また、補機用ブラケット６０５と第２コネクタ６０４との間には、補機用ブラケット６０５がパネル６０１に対し斜めの姿勢からパネル６０１に対し平行な姿勢となるまで回動される際に、第２コネクタ６０４の挿入方向を第１コネクタ６０２の挿入方向に整合させるための挿入方向整合手段が設けられている。この挿入方向整合手段は、補機用ブラケット６０５に設けられた一対の枠形の係合部６５４と、第２コネクタ６０４に設けられて、前記係合部６５４に嵌まる一対の係合ピン６４２とから構成されている。そして、係合部６５４に係合ピン６４２を係合させることにより、第２コネクタ６０４は補機用ブラケット６０５に対して、フック６５２に接近する方向と離間する方向にわずかに移動可能な状態で回動可能に装着される。
【００１３】
また、補機用ブラケット６０５と第２コネクタ６０４との間には、補機用ブラケット６０５がパネル６０１に対し斜めの姿勢からパネル６０１に対し平行な姿勢となるまでの間、第２コネクタ６０４を補機用ブラケット６０５に対して、わずかに傾斜した姿勢の仮係止位置（図２１に示す位置）に係止する仮係止手段と、補機用ブラケット６０５がパネル６０１に対し平行な姿勢となるまで回動したとき、第２コネクタ６０４を本係止位置（図２２に示す位置）に係止する本係止手段と、が設けられている。
【００１４】
この場合、仮係止手段は、図２１に示すように、第２コネクタ６０４側に設けられた係合突起６４４と、補機用ブラケット６０５側に設けられたロック部６５７の上側の係合凹部６５７ａとで構成され、本係止手段は、図２２に示すように、第２コネクタ６０４側に設けられた係合突起６４４と、補機用ブラケット６０５側に設けられたロック部６５７の下側の係合凹部６５７ｂとで構成されている。上側の係合凹部６５７ａと係合突起６４４とが係合した仮係止状態から、下側の係合凹部６５７ｂと係合突起６４４とが係合する本係止状態への移行は、例えば、補機用ブラケット６０５を取付位置まで回動させることで、自動的に行うことができる。
【００１５】
この第２コネクタ６０４が装着された補機用ブラケット６０５を、開口部に第１コネクタ６０２が配置されたパネル６０１に固定する場合は、次のように作業を行う。
【００１６】
まず、図２１に示すように、第２コネクタ６０４の係合ピン６４２を補機用ブラケット６０５の係合部６５４に係合させ、第２コネクタ６０４の係合突起６４４を補機用ブラケット６０５のロック部６５７の上側の係合凹部６５７ａに係合させ、補機用ブラケット６０５に対して第２コネクタ６０４を仮係止位置に保持する。この状態で、フック６５２の先端部をパネル６０１の開口部からパネル６０１の裏側まで挿入して、フック６５２の曲がり部の内側を、パネル６０１の開口部の周縁に係合させる。
【００１７】
次に、この状態で補機用ブラケット６０５を矢印Ｆのようにパネル６０１側に回動させる。図２２に示すように、補機用ブラケット６０５をパネル６０１に対して平行となる位置まで回動させると、第２コネクタ６０４の係合突起６４４が補機用ブラケット６０５のロック部６５７の上側の係合凹部６５７ａから外れて、下側の係合凹部６５７ｂに係合し、これにより、補機用ブラケット６０５に対して第２コネクタ６０４が本係止される。
【００１８】
この状態で、図２３に示すように、ビス６０８を補機用ブラケット６０５の取付孔６５３ａを通して、パネル６０１のネジ孔部６０７に締め込むことで、コネクタ６０２、６０４同士を嵌合させた状態で、補機用ブラケット６０５をパネル６０１に固定することができる。
【００１９】
ところで、この固定構造では、ビス６０８で補機用ブラケット６０５を本固定する前の段階において、補機用ブラケット６０５が第２コネクタ６０４に保持されているだけであるので、ビス止め作業中や作業前にサンバイザの重みによって、第２コネクタ６０４が第１コネクタ６０２から抜けて、補機用ブラケット６０５が脱落してしまうおそれがあった。従って、ビス止め作業中に常にサンバイザを手で支えていなくてはならず、作業性が悪かった。
【００２０】
ところで、第２コネクタ６０４の係合突起６４４が補機用ブラケット６０５のロック部６５７の下側の係合凹部６５７ｂに係合して補機用ブラケット６０５に対して第２コネクタ６０４が本係止されると、第２コネクタ６０４が補機用ブラケット６０５から容易に取り外せなくなり、交換や解体の作業性が悪かった。
【００２１】
また、上記の補機用ブラケット６０５は、第２コネクタ６０４の係合ピン６４２を係合させる係合部６５４や、第２コネクタ６０４の係合突起６４４を係合させるロック部６５７を有する複雑形状に成型しなければならず、コストアップを招いてしまう。また、第２コネクタ６０４は、第１コネクタ６０２の形状等に応じて変更される場合がある。そして、第１コネクタ６０２の形状等に応じて第２コネクタ６０４を異なる形状等のものに変更する場合、補機用ブラケット６０５も、変更する第２コネクタ６０４の形状に応じて第２コネクタ６０４の取り付け箇所の形状等を変更しなければならず、製造コストが嵩んでしまう。
【００２２】
本発明は、上記事情を考慮してなされたもので、コストアップを招くことなく、補機用ブラケットに対してメスコネクタである第２コネクタを容易に着脱させることができ、しかも、各種の第２コネクタに対応できるようにした、コネクタを備えた補機用ブラケットの固定構造を提供することを目的とする。
【課題を解決するための手段】
【００２３】
前述した目的を達成するために、本発明に係るコネクタを備えた補機用ブラケットの固定構造は、下記（１）を特徴としている。
（１）  パネルの開口部に配置された第１コネクタと、
補機支持部を有すると共に、前記パネルの開口部を覆うように、該パネルの内側からパネルに固定される補機用ブラケットと、
前記補機用ブラケットに装着され、該補機用ブラケットを前記パネルに固定する際の動作に伴って前記第１コネクタに嵌合接続される第２コネクタと、を備え、
前記補機用ブラケットの一端側に、前記パネルの開口部の周縁に引っ掛けることができ、その引っ掛けた箇所を回動支点にして、前記補機用ブラケットをパネルに対し斜めの姿勢からパネルに対し平行な姿勢となるまで回動できるようにする外向きＬ形のフックが設けられると共に、
前記補機用ブラケットの他端側に、前記パネルに平行な姿勢となるまで前記補機用ブラケットを回動させた状態で、前記パネルに対して補機用ブラケットを本固定する本固定部が設けられており、
さらに、前記補機用ブラケットがパネルに対し斜めの姿勢からパネルに対し平行な姿勢となるまでの間、前記第２コネクタを仮係止位置に係止する仮係止手段と、前記補機用ブラケットがパネルに対し平行な姿勢となるまで回動したとき、前記第２コネクタを本係止位置に係止する本係止手段と、が設けられ、
一方、前記第１コネクタに、前記補機用ブラケットが前記パネルに対し平行な姿勢からパネルに対し斜めの姿勢となるように回動するとき、前記本係止手段による本係止の状態を解除して前記仮係止手段による仮係止の状態に移行させる本係止解除手段が設けられていること。
【００２４】
上記（１）の構成の固定構造によれば、補機用ブラケットがパネルに対し平行な姿勢となるまで回動すると、第２コネクタが本係止位置に本係止される。また、補機用ブラケットがパネルに対し平行な姿勢からパネルに対し斜めの姿勢となるように回動すると、本係止の状態が解除されて第２コネクタが仮係止の状態に移行される。このように、補機用ブラケットに対して第２コネクタを容易に、本係止状態及び本係止を解除した仮係止状態とすることができ、したがって、補機用ブラケットに対して第２コネクタを容易に着脱させることができ、交換や解体の作業性の向上が図れる。
【００２５】
また、上述した目的を達成するために、本発明に係るコネクタを備えた補機用ブラケットの固定構造は、下記（２）および（３）を特徴としている。
（２）  パネルの開口部に配置された第１コネクタと、
補機支持部を有すると共に、前記パネルの開口部を覆うように、該パネルの内側からパネルに固定される補機用ブラケットと、
前記補機用ブラケットに装着され、該補機用ブラケットを前記パネルに固定する際の動作に伴って前記第１コネクタに嵌合接続される第２コネクタと、を備え、
前記補機用ブラケットの一端側に、前記パネルの開口部の周縁に引っ掛けることができ、その引っ掛けた箇所を回動支点にして、前記補機用ブラケットをパネルに対し斜めの姿勢からパネルに対し平行な姿勢となるまで回動できるようにする外向きＬ形のフックが設けられると共に、
前記補機用ブラケットの他端側に、前記パネルに平行な姿勢となるまで前記補機用ブラケットを回動させた状態で、前記パネルに対して補機用ブラケットを本固定する本固定部が設けられており、
前記補機用ブラケットに対して各種の前記第２コネクタが着脱可能とされ、各種の前記第２コネクタは、前記補機用ブラケットに設けられたコネクタ着脱部に係脱可能な取付脚がそれぞれ設けられていること。
（３）  上記（２）の構成の固定構造において、
前記第２コネクタは、別体の前記取付脚に取り付けられていること。
【００２６】
上記（２）の構成の固定構造によれば、補機用ブラケットに対して各種の第２コネクタが着脱可能とされ、各種の第２コネクタは、補機用ブラケットに設けられたコネクタ着脱部に着脱可能な共通の取付脚が設けられている。これにより、各種の第２コネクタに対して補機用ブラケットを共用化することができる。したがって、それぞれの種類の第２コネクタに対して補機用ブラケットをそれぞれ成型する場合と比較して、補機用ブラケットの共用化による大幅なコストダウンを図ることができる。
上記（３）の構成の固定構造によれば、第２コネクタが、別体の取付脚に取り付けられているので、補機用ブラケットに対して第２コネクタを回動させるような機能を持たせる場合であっても、その機能を持たせるための複雑な機構を補機用ブラケットに設けることなく、取付脚と第２コネクタとの間に設けることができる。これにより、第２コネクタの回転機能などを損なうことなく補機用ブラケットの構造の簡略化によるコストダウンを図ることができる。
【発明の効果】
【００２７】
本発明によれば、コストアップを招くことなく、補機用ブラケットに対してメスコネクタである第２コネクタを容易に着脱させることができ、しかも、各種の第２コネクタに対応できるようにした、コネクタを備えた補機用ブラケットの固定構造を提供できる。
【００２８】
以上、本発明について簡潔に説明した。更に、以下に説明される発明を実施するための形態を添付の図面を参照して通読することにより、本発明の詳細は更に明確化されるであろう。
【図面の簡単な説明】
【００２９】
【図１】本発明の実施形態の補機用ブラケットの固定構造の分解斜視図である。
【図２】実施形態の固定構造に使用する第２コネクタの外観斜視図である。
【図３】実施形態の固定構造に使用する補機用ブラケットの外観斜視図である。
【図４】実施形態の固定構造に使用する第１コネクタの構成図であって、図４（ａ）は全体構成を示す外観斜視図、図４（ｂ）はその一部を破断した部分拡大図である。
【図５】補機用ブラケットに第２コネクタを装着する要領を説明するための図で、図５（ａ）は装着前の状態を示す側面図、図５（ｂ）は装着後の仮係止の状態を示す側面図である。
【図６】補機用ブラケットに第２コネクタを装着する要領を説明するための図で、図６（ａ）は図５（ｂ）の状態を別の方向から見た図、図６（ｂ）は図６（ａ）のＶＩｂ−ＶＩｂ矢視部分の部分拡大断面図、図６（ｃ）は図６（ａ）のＶＩｃ矢視部の拡大図である。
【図７】補機用ブラケットのフックとパネルの開口部の周縁との位置関係を説明する図であって、図７（ａ）は補機用ブラケットのフックをパネルの開口部の周縁に引っ掛けた状態を示す側面図、図７（ｂ）は補機用ブラケットをパネルと平行な姿勢となる位置まで回動させて、第１コネクタに第２コネクタを嵌合させ、同時に補機用ブラケットと第２コネクタを本係止させた状態を示す側面図である。
【図８】第２コネクタと補機用ブラケットが仮係止した状態から、仮係止が解除されて、本係止に移行するまでの流れ、及び第２コネクタと補機用ブラケットが本係止した状態から、本係止が解除されて、仮係止に移行するまでの流れを示す原理図であって、図８（ａ）〜図８（ｃ）は、その一工程を示す図である。
【図９】図７（ａ）、図７（ｂ）の状態に対応した、補機用ブラケットと第２コネクタとの係止状態を図７（ａ）、図７（ｂ）とは別の角度から視て説明する図であって、図９（ａ）は補機用ブラケットと第２コネクタが仮係止しているときの状態を示す図、図９（ｂ）は補機用ブラケットと第２コネクタが本係止しているときの状態を示す図である。
【図１０】前記補機用ブラケットをパネルと平行な姿勢となる位置まで回動させて、補機用ブラケットを仮保持手段により第１コネクタ側に仮保持した状態を示す斜視断面図である。
【図１１】仮保持した補機用ブラケットをビスにより本固定しようとしている状態を示す側面図である。
【図１２】他の実施形態で用いられる補機用ブラケットを示す図であって、図１２（ａ）は斜視図、図１２（ｂ）は平面図、図１２（ｃ）は図１２（ｂ）のＸＩＩｃ−ＸＩＩｃ断面図、図１２（ｄ）は図１２（ｃ）のＸＩＩｄ部の拡大図、図１２（ｅ）は図１２（ｃ）のＸＩＩｅ部の拡大図である。
【図１３】補機用ブラケットに取り付けられる第２コネクタを示す斜視図である。
【図１４】補機用ブラケットに取り付けられる第２コネクタを示す斜視図である。
【図１５】補機用ブラケットに取り付けられる第２コネクタを示す図であって、図１５（ａ）は取付脚に組み付けられた状態の斜視図、図１５（ｂ）は取付脚から分離された状態の斜視図である。
【図１６】第２コネクタが装着された補機用ブラケットを示す図であって、図１６（ａ）は斜視図、図１６（ｂ）は平面図、図１６（ｃ）は図１６（ｂ）のＸＶＩｃ−ＸＶＩｃ断面図、図１６（ｄ）は図１６（ｃ）のＸＶＩｄ部の拡大図、図１６（ｅ）は図１６（ｃ）のＸＶＩｅ部の拡大図である。
【図１７】第２コネクタが装着された補機用ブラケットを示す図であって、図１７（ａ）は斜視図、図１７（ｂ）は平面図、図１７（ｃ）は図１７（ｂ）のＸＶＩＩｃ−ＸＶＩＩｃ断面図、図１７（ｄ）は図１７（ｃ）のＸＶＩＩｄ部の拡大図、図１７（ｅ）は図１７（ｃ）のＸＶＩＩｅ部の拡大図である。
【図１８】第２コネクタが装着された補機用ブラケットを示す図であって、図１８（ａ）は斜視図、図１８（ｂ）は平面図、図１８（ｃ）は図１８（ｂ）のＸＶＩＩＩｃ−ＸＶＩＩＩｃ断面図、図１８（ｄ）は図１８（ｃ）のＸＶＩＩＩｄ部の拡大図、図１８（ｅ）は図１８（ｃ）のＸＶＩＩＩｅ部の拡大図である。
【図１９】従来の補機用ブラケット固定構造の分解斜視図である。
【図２０】本出願人が先に考え出した補機用ブラケット固定構造における補機用ブラケット側の構成を示す斜視図である。
【図２１】同補機用ブラケットをパネルに固定するときの手順説明用の最初の段階を示す側断面図である。
【図２２】同補機用ブラケットをパネルに対し平行な姿勢となるまで回動させた状態を示す側断面図である。
【図２３】同補機用ブラケットをパネルにビス止めした状態を示す側断面図である。
【発明を実施するための形態】
【００３０】
以下、本発明の実施形態を図面を参照して説明する。
本実施形態は、本発明を、例えば、自動車の運転席または助手席のフロントウインドウ上端に設けられるサンバイザ（補機）を車体（パネル）に対してワンタッチで簡単且つ確実に装着固定できるように構成した補機用ブラケットの固定構造に適用したものである。
【００３１】
この補機用ブラケットの固定構造は、図１〜図４に示すように、パネル１およびその内側のトリム３の開口部１１、３１に配置された第１コネクタ（メスコネクタ）２と、補機支持部５１を有すると共に、パネル１およびトリム３の開口部１１、３１を覆うようにパネル１の内側からパネル１に固定される補機用ブラケット５と、この補機用ブラケット５に装着され、該補機用ブラケット５をパネル１に固定する際の動作に伴って第１コネクタ２に嵌合接続される第２コネクタ（オスコネクタ）４と、を備えて構成される。第１コネクタ２は、コネクタハウジング２０の下部に設けた固定用係止部２４によって、パネル１およびトリム３の開口部１１、３１に固定される。なお、パネル１には、開口部１１に隣接してビス止め用の孔部１２が設けられている。
【００３２】
第１コネクタ２には、実際にコネクタの役割をする第１コネクタ本体部２１が設けられている。この第１コネクタ本体部２１は、コネクタハウジング２０の該当箇所の内部に第１端子（オス端子）２８（図７（ａ）、図７（ｂ））を装着することで構成されている。第２コネクタ４には、実際にコネクタの役割をする第２コネクタ本体部４１が設けられている。この第２コネクタ本体部４１は、コネクタハウジング４０の該当箇所の内部に第２端子（メス端子）４８（図７（ａ）、図７（ｂ））を装着することで構成されている。第１コネクタ本体部２１の接続用開口は下向きに配され、第２コネクタ本体部４１の接続用開口は上向きに配されている。
【００３３】
補機用ブラケット５の平板状の本体部５０の一端側の上部には、図７（ａ）、図７（ｂ）に示すように、パネル１の開口部１１の周縁に引っ掛けることができ、その引っ掛けた箇所を回動支点にして、補機用ブラケット５をパネル１に対して斜めの姿勢（図７（ａ）参照）からパネル１に対して平行な姿勢（図７（ｂ）参照）となるまで、図中矢印Ｄのように回動できるようにする外向きＬ形のフック５２が設けられている。
【００３４】
また、フック５２と反対側の補機用ブラケット５の本体部５０の他端側には、フック５２をパネル１の開口部１１の周縁に引っ掛けて、パネル１に平行な姿勢となるまで補機用ブラケット５の本体部５０を回動させた状態で、パネル１に対して補機用ブラケット５を本固定するための本固定部としての取付孔５３ａが設けられている。取付孔５３ａは、トリム３の開口部３１に嵌合するように形成されたボス部５３に穿設されている。図１１に示すように、この取付孔５３ａにビス８を通して、パネル１側に設けたビス止め用の孔部１２にビス８を締め込むことにより、補機用ブラケット５をパネル１に本固定することができる。
【００３５】
また、図３に示すように、補機支持部５１は、フック５２とビス止め用のボス部５３との中間に配置されている。この補機支持部５１は、サンバイザを支持する固定シャフトの先端を支持する筒状の部分であり、固定シャフトが挿入される挿入孔５１ａを有している。
【００３６】
また、補機用ブラケット５と第２コネクタ４との間には、補機用ブラケット５がパネル１に対し斜めの姿勢からパネル１に対し平行な姿勢となるまで回動される際に、第２コネクタ４の挿入方向を第１コネクタ２の挿入方向に整合させるための挿入方向整合手段が設けられている。この挿入方向整合手段は、補機用ブラケット５の補機支持部５１の両側に位置して設けられた一対の係合孔５４ａ付きの係合枠部５４と、第２コネクタ４に設けられて、前記係合枠部５４の係合孔５４ａに嵌まる一対の係合ピン４２とから構成されている。そして、係合孔５４ａに係合ピン４２を係合させることにより、第２コネクタ４は補機用ブラケット５に対して回動可能に装着される。
【００３７】
また、補機用ブラケット５と第２コネクタ４との間には、補機用ブラケット５がパネル１に対し斜めの姿勢からパネル１に対し平行な姿勢となるまでの間、第２コネクタ４を補機用ブラケット５に対して、わずかに傾斜した姿勢の仮係止位置（図７（ａ）に示す位置）に係止する仮係止手段と、補機用ブラケット５がパネル１に対し平行な姿勢となるまで回動したとき、第２コネクタ４を本係止位置（図７（ｂ）に示す位置）に係止する本係止手段と、が設けられている。
【００３８】
本実施形態の場合、仮係止手段は、図６（ｂ）、図６（ｃ）に示すように、第２コネクタ４側に設けられた係合フック４４および補機用ブラケット５側に設けられた係合凹部５７の組と、第２コネクタ４側に設けられたロックアーム４３の係合突部４３ａおよび補機用ブラケット５側に設けられた係合凸壁５５の上端の組とで構成されている。
【００３９】
即ち、図６（ｂ）に示すように、第２コネクタ４側の係合フック４４が補機用ブラケット５側の係合凹部５７に係合することで、補機用ブラケット５が第２コネクタ４に対して下側（矢印Ｂ方向）に移動しないように係止される（図中の×印）。また、図６（ｃ）に示すように、第２コネクタ４側のロックアーム４３の係合突部４３ａが補機用ブラケット５側の係合凸壁５５の上端に当接することで、補機用ブラケット５が第２コネクタ４に対して上側（矢印Ａ方向）に移動しないように係止される（図中の×印）。これにより、補機用ブラケット５と第２コネクタ４は、相対的に上側にも下側にも移動しないように仮係止されることになる。
【００４０】
また、本係止手段は、図８（ａ）〜図８（ｃ）および図９（ａ）、図９（ｂ）に示すように、第２コネクタ４側に設けられたロックアーム４３の係合突部４３ａと、補機用ブラケット５側に設けられた係合凸壁５５の係合孔５５ａの組で構成されている。即ち、図９（ａ）に示すように、係合突部４３ａが係合凸壁５５の上端に当たった仮係止の状態から、係合突部４３ａが係合凸壁５５の係合孔５５ａに嵌まることで、補機用ブラケット５と第２コネクタ４が、相対的に上側にも下側にも移動しない本係止の状態に保持される。
【００４１】
また、第１コネクタ２には、補機用ブラケット５がパネル１に対し斜めの姿勢からパネル１に対し平行な姿勢となるまで回動したとき、前記仮係止手段による仮係止の状態を解除して本係止手段による本係止の状態に移行させるための仮係止・本係止解除部（仮係止解除手段）２３が設けられている。この仮係止・本係止解除部２３は、補機用ブラケット５がパネル１に対し斜めの姿勢からパネル１に対し平行な姿勢となるまで回動したとき、ロックアーム４３の係止解除凸部４３ｂに当たって、ロックアーム４３を内側（仮係止の係合解除方向）に撓ませる役目を果たす。
【００４２】
また、この仮係止・本係止解除部２３は、補機用ブラケット５がパネル１に対し平行な姿勢からパネル１に対し斜めの姿勢となるように回動されたとき、本係止手段による本係止の状態を解除して仮係止手段による仮係止の状態に移行させるための本係止解除手段の機能も有している。具体的には、この仮係止・本係止解除部２３は、本係止解除テーパ面２３ａを有しており、補機用ブラケット５がパネル１に対し平行な姿勢からパネル１に対し斜めの姿勢となるように回動されたとき、本係止解除テーパ面２３ａがロックアーム４３の係止解除凸部４３ｂに当たって、ロックアーム４３を内側（本係止の係合解除方向）に撓ませる役目を果たす。
【００４３】
また、補機用ブラケット５と第１コネクタ２には、図１０に示すように、補機用ブラケット５をパネル１に対し平行な姿勢となるまで回動させて第１コネクタ２に対し第２コネクタ４を完全に嵌合接続させた際に、その状態で補機用ブラケット５を第１コネクタ２によって仮保持する仮保持手段が設けられている。この仮保持手段は、補機用ブラケット５側の係合凹所５６と第１コネクタ２側の係合フック部２６とから構成されている。これら補機用ブラケット５側の係合凹所５６と第１コネクタ２側の係合フック部２６が互いに係合することで、第１コネクタ２に補機用ブラケット５が直接仮保持される。
【００４４】
この第２コネクタ４が装着された補機用ブラケット５を、開口部１１に第１コネクタ２が配置されたパネル１に固定する場合は、次のように作業を行う。
【００４５】
まず、図５（ａ）、図５（ｂ）に示すように、第２コネクタ４の係合ピン４２を補機用ブラケット５の係合枠部５４の係合孔５４ａに係合させ、同時に、図６（ａ）〜図６（ｃ）に示すように、第２コネクタ４側に設けられた係合フック４４を補機用ブラケット５側に設けられた係合凹部５７に係合させると共に、第２コネクタ４側に設けられたロックアーム４３の係合突部４３ａを補機用ブラケット５側に設けられた係合凸壁５５の上端に突き当てる。この状態で、第２コネクタ４が補機用ブラケット５に斜めに傾いた初期姿勢で仮保持される。
【００４６】
この状態で、図７（ａ）に示すように、フック５２の先端部を矢印Ｃで示すように、トリム３の開口部３１およびパネル１の開口部１１からパネル１の裏側まで挿入して、フック５２の曲がり部の内側を、パネル１の開口部１１の周縁に係合させる。
【００４７】
次に、この状態で補機用ブラケット５を矢印Ｄのようにパネル１側に回動させる。図８（ａ）〜図８（ｃ）および図９（ａ）、図９（ｂ）に示すように、補機用ブラケット５をパネル１に対して平行となる位置まで回動させると、第１コネクタ２の仮係止・本係止解除部２３が第２コネクタ４のロックアーム４３を内側に撓ませる。そして、係合突部４３ａが補機用ブラケット５側の係止凸壁５５の上端から外れて、係合孔５５ａに係合し、これにより、補機用ブラケット５に対して第２コネクタ４が本係止される。
【００４８】
この状態になったとき、図１０に示すように、補機用ブラケット５側の係合凹所５６と第１コネクタ２側の係合フック部２６が互いに係合することで、第１コネクタ２に補機用ブラケット５が直接仮保持される。従って、この状態で図１１に示すようにビス８を補機用ブラケット５の取付孔５３ａを通して、パネル１の孔部１２に締め込むことで、コネクタ２、４同士を嵌合さた状態で、補機用ブラケット５をパネル１に固定することができる。
【００４９】
また、交換や解体のために、パネル１に固定された補機用ブラケット５を取り外す場合は、次のように作業を行う。
【００５０】
まず、パネル１の孔部１２に締め込まれているビス８を緩め、このビス８を取り外す。このとき、補機用ブラケット５は、補機用ブラケット５側の係合凹所５６と第１コネクタ２側の係合フック部２６とが互いに係合されて直接仮保持されているので、脱落するようなことはない。
【００５１】
ビス８を取り外したら、補機用ブラケット５をパネル１側とは反対側（図７（ａ）中矢印Ｄと反対側）へ回動させる。すると、補機用ブラケット５側の係合凹所５６と第１コネクタ２側の係合フック部２６とが外れ、補機用ブラケット５の直接仮保持状態が解除される。
【００５２】
また、図８（ａ）〜図８（ｃ）に示すように、補機用ブラケット５をパネル１に対して斜めとなる位置へ向かって回動させると、第１コネクタ２の仮係止・本係止解除部２３の本係止解除テーパ面２３ａが第２コネクタ４のロックアーム４３の係止解除凸部４３ｂに当たって、第２コネクタ４のロックアーム４３を内側に撓ませる。すると、係合突部４３ａがロックアーム４３の変位に伴って補機用ブラケット５側の係合孔５５ａから抜け出し、さらに、係止凸壁５５の上端側へ変位する。これにより、補機用ブラケット５に対する第２コネクタ４の本係止が解除され、補機用ブラケット５に対して第２コネクタ４が仮係止状態となる。その後、ロックアーム４３の係合突部４３ａが係止凸壁５５の上端側に達し、第１コネクタ２の仮係止・本係止解除部２３が係止解除凸部４３ｂよりも上方側へ配置されると、弾性変形されて撓まされていたロックアーム４３が復元し、このロックアーム４３の係合突部４３ａが係止凸壁５５の上端に配置される。
【００５３】
以上のように、本実施形態の補機用ブラケット５の固定構造によれば、補機用ブラケット５がパネル１に対し平行な姿勢となるまで回動すると、第２コネクタ４が本係止位置に本係止される。また、補機用ブラケット５がパネル１に対し平行な姿勢からパネル１に対し斜めの姿勢となるように回動すると、本係止の状態が解除されて第２コネクタ４が仮係止の状態に移行される。このように、補機用ブラケット５に対して第２コネクタ４を容易に、本係止状態及び本係止を解除した仮係止状態とすることができ、したがって、補機用ブラケット５に対して第２コネクタ４を容易に着脱させることができ、交換や解体の作業性の向上が図れる。
【００５４】
次に、他の実施形態について説明する。なお、上記実施形態と同一構成部分は、同一符号を付して説明を省略する。
【００５５】
図１２（ａ）〜図１２（ｅ）に示すように、他の実施形態では、上記実施形態と異なる構造の補機用ブラケット５を備えている。この補機用ブラケット５には、本体部５０の上面側における略中央に、コネクタ着脱部６０が設けられている。このコネクタ着脱部６０は、平面視Ｈ形状のコネクタ取付溝部６１を有している。このコネクタ取付溝部６１は、補機支持部５１の両側部に配置された一対の支持脚嵌合溝部６２と、補機支持部５１と取付孔５３ａを有するボス部５３との間に配置された係合溝部６３とを有している。それぞれの支持脚嵌合溝部６２には、フック５２側の端部に、係止凹部６４が形成されており、また、係合溝部６３には、中間部分におけるボス部５３側に、係止爪部６５が形成されている。
【００５６】
そして、上記形状のコネクタ取付溝部６１を有するコネクタ着脱部６０には、図１３〜図１５に示す各種の第２コネクタ４Ａ，４Ｂ，４Ｃが着脱可能とされている。
【００５７】
次に、このコネクタ着脱部６０に着脱される各種の第２コネクタ４Ａ，４Ｂ，４Ｃについて説明する。
【００５８】
図１３及び図１６（ａ）〜図１６（ｅ）に示すように、第２コネクタ４Ａは、一体に成型された取付脚７０を備えている。この取付脚７０は、平行に配置された一対の支持脚７１を有しており、これらの支持脚７１は、第２コネクタ本体４１側の端部に、係止片部７３を有している。また、取付脚７０は、第２コネクタ本体４１と反対側に、第２コネクタ２Ａの幅方向へわたって形成された係止板部７４を有しており、この係止板部７４には、中間部分に、係止段部７５が形成されている。
【００５９】
この第２コネクタ４Ａを、補機用ブラケット５のコネクタ着脱部６０に装着するには、補機用ブラケット５のコネクタ取付溝部６１の支持脚嵌合溝部６２に対して、取付脚７０のそれぞれの支持脚７１の係止片部７３を係止凹部６４へ係止させ、その係止箇所を支点として補機用ブラケット５側へ回動させながら嵌め込む。すると、取付脚７０の係止板部７４の係止段部７５に、補機用ブラケット５側の係合溝部６３に形成された係止爪部６５が係止され、よって、第２コネクタ４Ａがコネクタ着脱部６０のコネクタ取付溝部６１に嵌め込まれた状態に装着される。
【００６０】
また、補機用ブラケット５のコネクタ着脱部６０に装着された第２コネクタ４Ａを、補機用ブラケット５のコネクタ着脱部６０から取り外すには、第２コネクタ４Ａを把持し、取付脚７０のそれぞれの支持脚７１の係止片部７３と係止凹部６４との係止箇所を支点として、第２コネクタ４Ａを補機用ブラケット５から離間する方向へ回動させる。すると、取付脚７０の係止段部７５と補機用ブラケット５側の係止爪部６５との係止状態が解除され、よって、第２コネクタ４Ａの取付脚７０がコネクタ取付溝部６１から抜き取られて補機用ブラケット５から第２コネクタ４Ａが取り外される。
【００６１】
図１４及び図１７（ａ）〜図１７（ｅ）に示すように、第２コネクタ４Ｂは、一体に成型された取付脚８０を有している。この取付脚８０は、平行に配置された一対の支持脚８１を有しており、これらの支持脚８１に対して、第２コネクタ本体４１側の端部が連結されている。そして、この第２コネクタ本体４１では、支持脚８１との連結部８１ａが弾性変形することにより、支持脚８１に対して回動可能とされている。第２コネクタ本体４１には、係合突部４３ａ及び係止解除凸部４３ｂを有するロックアーム４３が形成されており、また、支持脚８１には、係合孔５５ａを有する係合凸壁５５が形成されている。これにより、この第２コネクタ２Ｂでは、ロックアーム４３の係合突部４３ａと、支持脚８１の係合凸壁５５の係合孔５５ａとの組で本係止手段が構成されている。
【００６２】
取付脚８０の支持脚８１は、第２コネクタ本体４１側の端部に、係止片部８３を有している。また、取付脚８０には、第２コネクタ本体４１と反対側における支持脚８１同士の間に、幅方向へわたって架け渡された係止板部８４が設けられている。
【００６３】
この第２コネクタ４Ｂを、補機用ブラケット５のコネクタ着脱部６０に装着するには、補機用ブラケット５のコネクタ取付溝部６１の支持脚嵌合溝部６２に対して、取付脚８０のそれぞれの支持脚８１の係止片部８３を係止凹部６４へ係止させ、その係止箇所を支点として補機用ブラケット５側へ回動させながら嵌め込む。すると、支持脚８１間に架け渡された係止板部８４に、補機用ブラケット５側の係合溝部６３に形成された係止爪部６５が係止され、よって、第２コネクタ４Ｂがコネクタ着脱部６０のコネクタ取付溝部６１に嵌め込まれた状態に装着される。
【００６４】
また、補機用ブラケット５のコネクタ着脱部６０に装着された第２コネクタ４Ｂを、補機用ブラケット５のコネクタ着脱部６０から取り外すには、第２コネクタ４Ｂを把持し、取付脚８０のそれぞれの支持脚８１の係止片部８３と係止凹部６４との係止箇所を支点として、第２コネクタ４Ｂを補機用ブラケット５から離間する方向へ回動させる。すると、第２コネクタ４Ｂ側の係止板部８４と補機用ブラケット５側の係止爪部６５との係止状態が解除され、よって、第２コネクタ４Ｂの取付脚８０がコネクタ取付溝部６１から抜き取られて補機用ブラケット５から第２コネクタ４Ｂが取り外される。
【００６５】
図１５及び図１８（ａ）〜図１８（ｅ）に示すように、第２コネクタ４Ｃは、別体の取付脚９０に取り付けられて構成されている。別体の取付脚９０は、両側部に、支持脚９１を有しており、これらの支持脚９１に対して、第２コネクタ本体４１側の端部が連結されている。第２コネクタ４Ｃには、第２コネクタ本体４１側に、係合ピン４２が形成されており、また、支持脚９１には、第２コネクタ４Ｃとの連結側に、係合孔５４ａ付きの係合枠部５４が形成されている。そして、この係合枠部５４の係合孔５４ａに係合ピン４２を係合させることにより、第２コネクタ４Ｃが取付脚９０の各支持脚９１に対して回動可能とされている。第２コネクタ本体４１には、係合突部４３ａ及び係止解除凸部４３ｂを有するロックアーム４３が形成されており、また、取付脚９０の支持脚９１には、係合孔５５ａを有する係合凸壁５５が形成されている。これにより、この第２コネクタ２Ｃでは、ロックアーム４３の係合突部４３ａと、取付脚９０の支持脚９１の係合凸壁５５の係合孔５５ａとの組で本係止手段が構成されている。
【００６６】
取付脚９０の支持脚９１は、第２コネクタ本体４１側の端部に、係止片部９３を有している。また、取付脚９０には、第２コネクタ本体４１と反対側における支持脚９１同士の間に、幅方向へわたって架け渡された係止板部９４が設けられている。
【００６７】
この第２コネクタ４Ｃを、補機用ブラケット５のコネクタ着脱部６０に装着するには、取付脚９０に取り付けた状態で、補機用ブラケット５のコネクタ取付溝部６１の支持脚嵌合溝部６２に対して、取付脚９０のそれぞれの支持脚９１の係止片部９３を係止凹部６４へ係止させ、その係止箇所を支点として補機用ブラケット５側へ回動させながら嵌め込む。すると、取付脚９０の支持脚９１間に架け渡された係止板部９４に、補機用ブラケット５側の係合溝部６３に形成された係止爪部６５が係止され、よって、第２コネクタ４Ｃがコネクタ着脱部６０のコネクタ取付溝部６１に嵌め込まれた状態に装着される。
【００６８】
また、補機用ブラケット５のコネクタ着脱部６０に装着された第２コネクタ４Ｃを、補機用ブラケット５のコネクタ着脱部６０から取り外すには、第２コネクタ４Ｃを把持し、取付脚９０のそれぞれの支持脚９１の係止片部９３と係止凹部６４との係止箇所を支点として、第２コネクタ４Ｃを補機用ブラケット５から離間する方向へ回動させる。すると、第２コネクタ４Ｃ側の係止板部９４と補機用ブラケット５側の係止爪部６５との係止状態が解除され、よって、第２コネクタ４Ｃの取付脚９０がコネクタ取付溝部６１から抜き取られて補機用ブラケット５から第２コネクタ４Ｃが取り外される。
【００６９】
このように、上記の他の実施形態によれば、補機用ブラケット５に対して各種の第２コネクタ４Ａ，４Ｂ，４Ｃが着脱可能とされ、各種の第２コネクタ４Ａ，４Ｂ，４Ｃは、補機用ブラケット５に設けられたコネクタ着脱部６０に係脱可能な略共通形状の取付脚７０，８０，９０が設けられている。これにより、各種の第２コネクタ４Ａ，４Ｂ，４Ｃに対して補機用ブラケット５を共用化することができる。したがって、それぞれの種類の第２コネクタ４Ａ，４Ｂ，４Ｃに対して補機用ブラケット５をそれぞれ成型する場合と比較して、補機用ブラケット５の共用化による大幅なコストダウンを図ることができる。
【００７０】
また、第２コネクタ４Ｃが、別体の取付脚９０に取り付けられているので、補機用ブラケット５に対して第２コネクタ４Ｃを回動させるような機能を持たせる場合であっても、その機能を持たせるための複雑な機構を補機用ブラケット５に設けることなく、取付脚９０と第２コネクタ４Ｃとの間に設けることができる。これにより、第２コネクタ４Ｃの回転機能などを損なうことなく補機用ブラケット５の構造の簡略化によるコストダウンを図ることができる。
【００７１】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００７２】
１  パネル
２  第１コネクタ
４，４Ａ，４Ｂ，４Ｃ  第２コネクタ
５  補機用ブラケット
１１  開口部
２３  仮係止・本係止解除部（本係止解除手段）
４３ａ  係合突部（本係止手段）
４４  係合フック（仮係止手段）
５１  補機支持部
５２  フック
５３ａ  取付孔（本固定部）
５５ａ  係合孔（本係止手段）
５７  係合凹部（仮係止手段）
７０，８０，９０  取付脚
【図１】
2012148612.tif 000003
【図２】
2012148612.tif 000004
【図３】
2012148612.tif 000005
【図４】
2012148612.tif 000006
【図５】
2012148612.tif 000007
【図６】
2012148612.tif 000008
【図７】
2012148612.tif 000009
【図８】
2012148612.tif 000010
【図９】
2012148612.tif 000011
【図１０】
2012148612.tif 000012
【図１１】
2012148612.tif 000013
【図１２】
2012148612.tif 000014
【図１３】
2012148612.tif 000015
【図１４】
2012148612.tif 000016
【図１５】
2012148612.tif 000017
【図１６】
2012148612.tif 000018
【図１７】
2012148612.tif 000019
【図１８】
2012148612.tif 000020
【図１９】
2012148612.tif 000021
【図２０】
2012148612.tif 000022
【図２１】
2012148612.tif 000023
【図２２】
2012148612.tif 000024
【図２３】
2012148612.tif 000025